(57)【要約】      （修正有）【課題】テナントで売上げた商品の決済情報を容易に入力することが可能な入力装置およびプログラムを提供する。【解決手段】システムは、売上報告端末１、決済端末３、クレジット／電子マネー端末４、ピンパッド５、ＰＯＳ端末６、７及びサーバ８を備える。売上報告端末１（入力装置）は、媒体で決済処理する決済端末３と連動可能であって、決済端末３と連動している場合に、決済端末３からの決済情報の入力を受け付け、決済端末３と連動していない場合に、決済端末３からの決済情報の入力を受け付けない入力制御部、を備える。【選択図】図１
2020119359.tif 000002
【特許請求の範囲】
【請求項１】
媒体で決済処理する決済端末と連動可能であって、
前記決済端末と連動している場合に、前記決済端末からの決済情報の入力を受け付け、前記決済端末と連動していない場合に、前記決済端末からの決済情報の入力を受け付けない入力制御部、
を備える入力装置。
【請求項２】
前記決済端末と接続可能な接続部と、
前記接続部に前記決済端末が接続されている場合に前記決済端末と連動していると判断し、前記接続部に前記決済端末が接続されていない場合に、前記決済端末と連動していないと判断する連動判断部、をさらに備え、
前記入力制御部は、前記連動判断部が前記決済端末と連動していると判断した場合に前記決済端末からの決済情報の入力を受け付け、前記連動判断部が前記決済端末と連動していないと判断した場合に前記決済端末からの決済情報の入力を受け付けない、
請求項１に記載の入力装置。
【請求項３】
第１記憶部と第２記憶部をさらに備え、
前記入力制御部は、前記決済情報が第１媒体に係る決済情報の場合は、前記決済情報を前記第１記憶部に累計記憶することで前記決済端末からの決済情報の入力を受け付け、前記決済情報が第２媒体に係る決済情報の場合は、前記決済情報を前記第２記憶部に累計記憶することで前記決済情報の入力を受け付ける、
請求項１または２に記載の入力装置。
【請求項４】
操作部からの決済情報の入力を受け付ける入力部と、
第３記憶部と、
をさらに備え、
前記入力部は、前記操作部から入力された決済情報を前記第３記憶部に記憶することで前記操作部からの決済情報の入力を受け付ける、
請求項１乃至３のいずれか一に記載の入力装置。
【請求項５】
前記入力部は、前記決済端末が連動している場合であっても連動していない場合であっても前記操作部からの決済情報の入力を受け付ける、
請求項４に記載の入力装置。
【請求項６】
媒体で決済処理する決済端末と連動可能な入力装置としてのコンピュータを、
前記決済端末と連動している場合に、前記決済端末からの決済情報の入力を受け付け、前記決済端末と連動していない場合に、前記決済端末からの決済情報の入力を受け付けない入力制御部、
として機能させるためのプログラム。
【発明の詳細な説明】
【技術分野】
【０００１】
本発明の実施形態は、入力装置およびプログラムに関する。
【背景技術】
【０００２】
従来、例えばイベント会場等に出店したテナントにおいて、テナントが販売した商品に係る決済情報（現金決済による決済情報、クレジット決済による決済情報、電子マネー決済による決済情報等）をイベント会場に設置された、当該イベントの売上げを管理するサーバに入力する場合、イベント会場に設置されたＬＡＮ（Local  Area  Network）等のネットワークに接続されない、テナントがイベント会場に持ち込んだスタンドアローンのＰＯＳ（Point  of  Sales）端末を使用していた。
【０００３】
このようなＰＯＳ端末では、テナントが販売した商品に係る売上情報をイベント会場の売上げを管理するサーバに入力する場合に、当該スタンドアローンのＰＯＳ端末に入力した、テナントが売上げたすべての売上に係る決済情報をレシート用紙に精算レポートとして印字出力して、ネットワークに接続されたサーバにおいて、当該決済情報をすべて手入力していた。
【０００４】
そのため、テナントで売上げた商品の決済情報の入力に労力を要していた。
【発明の概要】
【発明が解決しようとする課題】
【０００５】
本発明が解決しようとする課題は、テナントで売上げた商品の決済情報を容易に入力することが可能な入力装置およびプログラムを提供することである。
【課題を解決するための手段】
【０００６】
実施形態の入力装置は、媒体で決済処理する決済端末と連動可能であって、前記決済端末と連動している場合に、前記決済端末からの決済情報の入力を受け付け、前記決済端末と連動していない場合に、前記決済端末からの決済情報の入力を受け付けない入力制御部、を備える。
【図面の簡単な説明】
【０００７】
【図１】図１は、実施形態に係る売上報告端末を含むシステムを示す図である。
【図２】図２は、売上報告端末のハードウェア構成を示すブロック図である。
【図３】図３は、決済端末情報部のメモリ構成の一例を示す図である。
【図４】図４は、売上報告端末の機能構成を示す機能ブロック図である。
【図５】図５は、売上報告端末の制御処理の流れを示すフローチャートである。
【発明を実施するための形態】
【０００８】
以下、図面を参照して、実施形態に係る入力装置およびプログラムについて説明する。なお、実施形態では、売上報告端末１を入力装置の一例として説明する。なお、以下に説明する実施形態により、この発明が限定されるものではない。
【０００９】
まず、売上報告端末１を含むイベント会場に設置されたシステムについて説明する。イベント会場には、イベントを主催する企業の店舗および当該イベントに出店するテナントＴが店を構える。システムは、売上報告端末１、決済端末３、クレジット／電子マネー端末４、ピンパッド５、ＰＯＳ端末７、サーバ８を備える。そのうち、売上報告端末１、ＰＯＳ端末７、サーバ８は、互いにＬＡＮ等のネットワーク９で接続されている。
【００１０】
ＰＯＳ端末７は、イベント会場に常設されている。ＰＯＳ端末７は、イベントを主催する企業の店舗で販売する商品の売上登録処理と決済処理を実行する。また、売上報告端末１、決済端末３、クレジット／電子マネー端末４、ピンパッド５は、テナントＴに設置される。
【００１１】
ここで、売上登録処理とは、ＰＯＳ端末７が商品に付されたシンボルを読み取って、当該シンボルに係る商品コードに基づいて、商品マスタ（図示せず）から当該商品の商品情報（商品名、価格等）読み出し、読み出した当該商品の商品情報を表示するとともに、商品情報を商品情報部（図示せず）に記憶する処理をいう。決済処理とは、売上登録処理に伴い商品情報部に記憶された商品情報に基づいて、取引に係る合計金額や税額の表示、顧客から預かった預り金に基づいて釣銭を計算して表示する処理、商品情報や決済情報（合計金額、預り金額、釣銭額等）を印字したレシートを発行する処理等をいう。なお、商品情報と決済情報を合わせた情報を売上情報という。
【００１２】
サーバ８は、ＰＯＳ端末７や売上報告端末１から送信された商品情報や決済情報を集計し、イベント会場の売上げを管理する。
【００１３】
売上報告端末１は、決済端末３と情報の送受信可能に接続する。また、決済端末３は、クレジット／電子マネー端末４と情報の送受信可能に接続する。また、決済端末３は、ピンパッド５と情報の送受信可能に接続する。決済端末３は、テナントＴにおいて、クレジットカード（第１媒体）または電子マネーカード（第２媒体）を使用して購入された商品について決済処理を実行する。売上報告端末１は、Ｉ／Ｏポート２３（接続部）を備え、当該Ｉ／Ｏポート２３を介して決済端末３と接続される。なお、実施形態では、Ｉ／Ｏポート２３を介して売上報告端末１と決済端末３が接続されており、かつ決済端末３が送信した決済情報をＩ／Ｏポート２３が受信可能な場合に、売上報告端末１と決済端末３が連動しているとする。また、Ｉ／Ｏポート２３を介して売上報告端末１と決済端末３が接続されていない場合に、売上報告端末１と決済端末３は連動していない（すなわち、非連動である）とする。
【００１４】
クレジット／電子マネー端末４は、クレジットカード（媒体）および電子マネーカード（媒体）を挿入可能である。クレジット／電子マネー端末４は、挿入されたクレジットカードからカードを特定するカード情報を読み出して、決済端末３に送信する。また、クレジット／電子マネー端末４は、挿入された（または読取部にタッチされた）電子マネーカードからカードを特定するカード情報と電子マネーカードで支払った支払情報を読み出して、決済端末３に送信する。ピンパッド５は、クレジットカードによる決済を行う場合に、暗証番号を入力する装置である。
【００１５】
決済端末３は、クレジット／電子マネー端末４からクレジットカードに係るカード情報が入力された場合には、当該カード情報とピンパッド５から入力された暗証番号に基づいて、当該クレジットカードに係る決済処理を実行する。そして、決済端末３は、クレジットカードを使用して決済処理された決済情報を、リアルタイムで売上報告端末１に送信する。決済端末３は、クレジットカードによる決済情報を売上報告端末１に送信する際に、当該決済情報がクレジットカードによる決済であることを示す情報を付して送信する。
【００１６】
また、決済端末３は、クレジット／電子マネー端末４から電子マネーカードに係るカード情報が入力された場合には、当該カード情報および支払情報に基づいて、当該電子マネーカードに係る決済処理を実行する。そして、決済端末３は、電子マネーカードを使用して決済処理された決済情報を、リアルタイムで売上報告端末１に送信する。決済端末３は、電子マネーカードによる決済情報を売上報告端末１に送信する際に、当該決済情報が電子マネーカードによる決済であることを示す情報を付して送信する。
【００１７】
ところで、テナントＴは、テナントＴで販売する商品を現金で購入する顧客に対して決済処理を行うスタンドアローンのＰＯＳ端末６を備える。ＰＯＳ端末６は、ネットワーク９には接続されていない。テナントＴで商品を購入する場合、現金での決済処理はこのＰＯＳ端末６を使用して行う。そして、現金決済された決済情報がＰＯＳ端末６に累計記憶される。ＰＯＳ端末６は、例えば一日の締め処理の際に、累計記憶された一日分の現金による決済情報を、精算レポートとしてレシート用紙に印字出力する。
【００１８】
一方、クレジットカードまたは電子マネーカードで決済する場合は、テナントＴで購入する商品の売上登録処理はＰＯＳ端末６で行い、当該商品に係る決済処理は決済端末３で行う。具体的には、ＰＯＳ端末６が算出して表示した支払金額を決済端末３に入力する。例えばテナントＴの店員が、ＰＯＳ端末６が表示した支払金額を、決済端末３のキーボードを操作して入力する。決済端末３は、入力された支払金額に基づいて決済処理を実行する。なお、ＰＯＳ端末６は、決済端末３が決済処理した決済情報は累計記憶しない。
【００１９】
ここからは、売上報告端末（入力装置）１のハードウェアについて説明する。図２は、売上報告端末１のハードウェア構成を示すブロック図である。図２に示すように、売上報告端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する売上報告端末１の制御処理を実行する。
【００２０】
ＲＡＭ１３は、入力情報部１３１（第３記憶部）と決済端末情報部１３２を備える。入力情報部１３１は、操作部２１の入力キー２１１を操作して入力された決済情報を記憶する。決済端末情報部１３２は、Ｉ／Ｏポート（接続部）２３が受信した、決済端末３から送信された決済情報を記憶する。
【００２１】
メモリ部１４は、ＨＤＤ（Hard  Disc  Drive）やフラッシュメモリ等で構成されており、電源を遮断しても記憶内容を維持する。メモリ部１４は、制御プログラム部１４１を備える。制御プログラム部１４１は売上報告端末１を制御するための制御プログラムを記憶する。
【００２２】
実施形態の場合、売上報告端末１には１台の決済端末３が接続可能である。そのため、決済端末３を１台接続する場合には、売上報告端末１と決済端末３とを連動させる。しかしながら、売上報告端末１には２台以上の決済端末３は接続できないため、テナントＴにおいて、２台以上の決済端末３を使用する場合には、売上報告端末１と決済端末３とを連動させずに使用する。
【００２３】
制御部１００は、バス１５とコントローラ１６を介して、操作部２１、表示部２２、Ｉ／Ｏポート２３を接続する。操作部２１は、入力キー２１１を含むキーボードである。入力キー２１１は、ＰＯＳ端末６で現金決済された商品に係る精算レポートに印字された売上情報を入力するためのキーである。入力キー２１１によって入力される決済情報は、所定期間（例えば一日）における商品の合計のＰＯＳ端末６での売上に係る現金による決済の決済情報である。
【００２４】
表示部２２は、売上報告端末１を操作する操作者に向けて情報を表示する。Ｉ／Ｏポート２３は、決済端末３と電気的に接続する。Ｉ／Ｏポート２３は、決済端末３から送信された決済情報を受信する。
【００２５】
また、制御部１００は、バス１５を介して、通信Ｉ／Ｆ２４と接続する。通信Ｉ／Ｆ２４は、ネットワーク９を介してＰＯＳ端末７やサーバ８と、相互に情報の送受信が可能に接続する。
【００２６】
次に、決済端末情報部１３２について説明する。決済端末情報部１３２は、決済端末３から送信された決済情報を記憶する。図３は、決済端末情報部１３２のメモリ構成の一例を示す図である。図３に示すように、決済端末情報部１３２は、クレジット情報蓄積部１３２１（第１記憶部）と電子マネー情報蓄積部１３２２（第２記憶部）を有する。クレジット情報蓄積部１３２１は、決済端末３から受信した、クレジットカードを使用した決済に係る決済情報を累計記憶する。電子マネー情報蓄積部１３２２は、決済端末３から受信した、電子マネーカードを使用した決済に係る決済情報を累計記憶する。
【００２７】
ここからは、売上報告端末１の機能構成について説明する。図４は、売上報告端末１の機能構成を示す機能ブロック図である。図４に示すように、売上報告端末１の制御部１００は、制御プログラム部１４１に記憶され、ＲＡＭ１３に展開された制御プログラムに従うことで、連動判断部１０１、入力制御部１０２、入力部１０３として機能する。
【００２８】
連動判断部１０１は、Ｉ／Ｏポート２３に決済端末３が接続されているか否かで、決済端末３と連動しているか否かを判断する機能を有する。すなわち、連動判断部１０１は、Ｉ／Ｏポート２３に決済端末３が接続されている場合に決済端末３と連動していると判断し、Ｉ／Ｏポート２３に決済端末３が接続されていない場合に、決済端末３と連動していないと判断する。
【００２９】
入力制御部１０２は、決済端末３と連動している場合に、Ｉ／Ｏポート２３に接続された前記決済端末からの決済情報の入力を受け付け、決済端末３と連動していない場合に、決済端末からの決済情報の入力を受け付けない、機能を有する。具体的には、入力制御部１０２は、連動判断部１０１が売上報告端末１と決済端末３が連動していると判断した場合には、Ｉ／Ｏポート２３に接続された前記決済端末３からの決済情報の入力を受け付ける。ここで、決済情報の入力を受け付けるとは、入力された決済情報を累計的に記憶することである。また、入力制御部１０２は、連動判断部１０１が売上報告端末１と決済端末３が連動していないと判断した場合には、決済端末３からの決済情報の入力を受け付けない。ここで、決済情報の入力を受け付けないとは、入力された決済情報を累計的に記憶しないことである。
【００３０】
また、入力制御部１０２は、決済情報が、クレジットカード（第１媒体）での決済に係る決済情報であるか、電子マネーカード（第２媒体）の決済に係る決済情報であるかを判断する。入力制御部１０２は、クレジットカードでの決済に係る決済情報であると判断した場合には、当該決済情報をクレジット情報蓄積部１３２１に累計記憶する。また、入力制御部１０２は、電子マネーカードでの決済に係る決済情報であると判断した場合には、当該決済情報を電子マネー情報蓄積部１３２２に累計記憶する。
【００３１】
入力部１０３は、操作部２１からの決済情報の入力を受け付ける。具体的には、店員は、ＰＯＳ端末６から出力された精算レポートに記載された現金決済による決済情報を、操作部２１の入力キー２１１を操作して手入力で入力する。入力部１０３は、操作部２１から入力された現金決済に係る決済情報を受け付ける。入力部１０３は、当該現金決済に係る決済情報を入力情報部１３１に累計記憶することで、現金決済に係る決済情報を受け付ける。
【００３２】
ここからは、売上報告端末１の制御について説明する。図５は、売上報告端末１の制御処理の流れを示すフローチャートである。図５に示すように、売上報告端末１の制御部１００は、操作部２１から現金決済に係る決済情報が入力されたかを判断する（Ｓ１１）。操作部２１から決済情報が入力されたと判断した場合には（Ｓ１１のＹｅｓ）、入力部１０３は、入力された現金で決済された決済情報を、入力情報部１３１に累計記憶する（Ｓ１２）。すなわち、入力部１０３は、現金で決済された決済情報の入力を受け付ける。そして制御部１００は、Ｓ１１に戻る。
【００３３】
一方、操作部２１からの決済情報の入力ではないと判断した場合には（Ｓ１１のＮｏ）、連動判断部１０１は、売上報告端末１と決済端末３が連動しているかを判断する（Ｓ２１）。売上報告端末１と決済端末３が連動していると判断した場合には（Ｓ２１のＹｅｓ）、制御部１００は、決済端末３から送信された決済情報がＩ／Ｏポート２３に受信しているかを判断する（Ｓ２２）。決済端末３から送信された決済情報がＩ／Ｏポート２３に受信していると判断した場合には（Ｓ２２のＹｅｓ）、次に入力制御部１０２は、当該決済情報が、クレジットカードでの決済に係る決済情報であるかを判断する（Ｓ２３）。当該決済情報が、クレジットカードでの決済に係る決済情報であると判断した場合には（Ｓ２３のＹｅｓ）、入力制御部１０２は、当該決済情報をクレジット情報蓄積部１３２１に累計記憶する（すなわち、決済情報の入力を受け付ける）（Ｓ２４）。そして制御部１００は、Ｓ１１に戻る。また、当該決済情報が、クレジットカードでの決済に係る決済情報ではない（すなわち当該決済情報が、電子マネーカードでの決済に係る決済情報である）と判断した場合には（Ｓ２３のＮｏ）、入力制御部１０２は、入力制御部１０２は、当該決済情報を電子マネー情報蓄積部１３２２に累計記憶する（すなわち、決済情報の入力を受け付ける）（Ｓ２５）。そして制御部１００は、Ｓ１１に戻る。
【００３４】
また、Ｓ２２において、決済端末３から送信された決済情報がＩ／Ｏポート２３に受信していないと判断した場合には（Ｓ２２のＮｏ）、制御部１００は、Ｓ１１に戻る。
【００３５】
また、Ｓ２１において、連動判断部１０１が売上報告端末１と決済端末３が連動していないと判断した場合には（Ｓ２１のＮｏ）、制御部１００は、決済情報をサーバ８に送信する指示を受けたかを判断する（Ｓ３１）。サーバ８に送信する指示は、マニュアル操作で任意に受ける場合や、予め決められた時間になると自動的に指示される場合がある。決済情報をサーバ８に送信する指示を受けたと判断した場合には（Ｓ３１のＹｅｓ）、制御部１００は、入力情報部１３１に累計記憶されている現金決済に係る決済情報、クレジット情報蓄積部１３２１に累計記憶されているクレジットカードによる決済に係る決済情報、電子マネー情報蓄積部１３２２に記憶されている電子マネーカードによる決済に係る決済情報を、サーバ８に送信する（Ｓ３２）。そして制御部１００は、Ｓ１１に戻る。
【００３６】
また、決済情報を送信する指示は受けていないと判断した場合には（Ｓ３１のＮｏ）、制御部１００は、Ｓ１１に戻る。
【００３７】
このような実施形態によれば、売上報告端末１と決済端末３が連動している場合には、決済端末３から送信された決済情報の入力を受け付け、売上報告端末１と決済端末３が連動していない場合には、決済端末３から送信された決済情報の入力を受け付けない。そのため、連動させた決済端末３から決済情報を受け付けることができるため、テナントで売上げた商品に係るクレジットカードによる決済の決済情報と電子マネーカードによる決済の決済情報を容易に入力することが可能となる。
【００３８】
また、実施形態によれば、連動判断部１０１は、Ｉ／Ｏポート２３に決済端末３が接続されている場合に決済端末と連動していると判断し、Ｉ／Ｏポート２３に決済端末３が接続されていない場合に、決済端末３と連動していない（すなわち、非連動である）と判断する。そのため、Ｉ／Ｏポート２３に決済端末３を接続するか接続しないかで、自動的に決済端末３の連動と非連動を変更することができる。
【００３９】
また、実施形態によれば、クレジットカードによる決済の決済情報はクレジット情報蓄積部１３２１に累計記憶し、電子マネーカードによる決済の決済情報は電子マネー情報蓄積部１３２２に累計記憶する。そのため、クレジットカードによる決済の決済情報と電子マネーカードによる決済の決済情報を区別して管理することができる。
【００４０】
また、実施形態によれば、操作部２１から入力された現金決済に係る決済情報を入力情報部１３１に累計記憶する。そのため、現金決済に係る決済情報を、クレジットカードによる決済の決済情報および電子マネーカードによる決済の決済情報と区別して管理することができる。
【００４１】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４２】
例えば、実施形態では、連動判断部１０１は、Ｉ／Ｏポート２３に決済端末３が接続されている場合に決済端末と連動していると判断し、Ｉ／Ｏポート２３に決済端末３が接続されていない場合に、決済端末３と連動していない（すなわち、非連動である）と判断するようにした。しかしながらこれに限らず、例えば、Ｉ／Ｏポート２３に決済端末３が接続されている場合に、売上報告端末１と決済端末３とが連動しているか連動していないかの情報を設定するようにして、設定された情報に基づいて連動判断部１０１が、売上報告端末１と決済端末３が連動しているか連動していないかを判断するようにしてもよい。
【００４３】
例えば、メモリ部１４に連動設定部を設け、当該連動設定部に、売上報告端末１と決済端末３が連動しているか連動していないかを示すフラグ情報を設定する。連動判断部１０１は、連動設定部に設定されているフラグ情報に基づいて、売上報告端末１と決済端末３が連動しているか否かを判断する。決済端末３がＩ／Ｏポート２３に接続されていて、かつ連動設定部にフラグ１が記憶されている場合には、連動判断部１０１は、売上報告端末１と決済端末３が連動していると判断する。決済端末３がＩ／Ｏポート２３に接続されているが、連動設定部にフラグ０が記憶されている場合には、連動判断部１０１は、売上報告端末１と決済端末３が非連動である（連動していない）と判断する。なお、決済端末３がＩ／Ｏポート２３に接続されていない場合には、連動判断部１０１は、連動設定部１４２に記憶されているフラグ情報に係わらず売上報告端末１と決済端末３が非連動である（連動していない）と判断する。
【００４４】
また、実施形態では、決済端末３にクレジット／電子マネー端末４を接続し、媒体としてクレジットカードと電子マネーカードによって決済するようにした。しかしながらこれに限らず、他の媒体によって決済するようにしてもよい。
【００４５】
また、実施形態では、売上報告端末１を入力装置の一例として説明した。しかしながらこれに限らず、売上報告端末１以外の装置（例えばＰＯＳ端末７やサーバ８）を入力装置としてもよい。
【００４６】
なお、実施形態の売上報告端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００４７】
また、実施形態の売上報告端末１で実行されるプログラムを、インターネット等のネットワークに接続されたコンピュータ上に格納し、ネットワーク経由でダウンロードさせることにより提供するように構成しても良い。また、実施形態の売上報告端末１で実行されるプログラムをインターネット等のネットワーク経由で提供または配布するように構成しても良い。
【００４８】
また、実施形態の売上報告端末１で実行されるプログラムを、ＲＯＭ等に予め組み込んで提供するように構成してもよい。
【符号の説明】
【００４９】
１      売上報告端末
３      決済端末
４      クレジット／電子マネー端末
５      ピンパッド
６      ＰＯＳ端末（スタンドアローン）
７      ＰＯＳ端末
８      サーバ
１１    ＣＰＵ
１２    ＲＯＭ
１３    ＲＡＭ
１４    メモリ部
２１    操作部
２２    表示部
２３  Ｉ／Ｏポート
１００  制御部
１０１  連動判断部
１０２  入力制御部
１０３  入力部
１３１  入力情報部
１３２１  クレジット情報蓄積部
１３２２  電子マネー情報蓄積部
【先行技術文献】
【特許文献】
【００５０】
【特許文献１】特開２０１３−１４９２６６号公報
【図１】
2020119359.tif 000003
【図２】
2020119359.tif 000004
【図３】
2020119359.tif 000005
【図４】
2020119359.tif 000006
【図５】
2020119359.tif 000007